(57)【要約】【課題】感光ドラムを容易に取り出せる簡易組立箱を提供する。【解決手段】底面板１の周囲に各一対の側面板２，３及び端面板４，４を連設し、両方の端面板４，４に、一方の側面板２寄りの上部から他方の側面板３寄りの下部へ至る斜折線１６を設け、底面板１から一方の側面板２及び両方の端面板４，４を起立させ、一方の側面板２から延びる内側板６を折り曲げて、端面板４から延出した折込板８を抱き込むことにより固定壁１９を形成し、他方の側面板３を起立させて、これに繋がる蓋板９を閉じる。蓋板９を開いて側面板３を倒し、端面板４を斜折線１６沿いに折り曲げると、緩衝材Ｐの両側に手を入れ、感光ドラムＤを容易に取り出すことができる。【選択図】　図５
2004010079.tif 000002
【特許請求の範囲】
【請求項１】
底面板１の周囲に各一対の側面板２，３及び端面板４，４を連設し、両方の端面板４，４に、一方の側面板２寄りの上部から他方の側面板３寄りの下部へ至る斜折線１６を設け、底面板１から一方の側面板２及び両方の端面板４，４を起立させ、一方の側面板２から延びる内側板６を折り曲げて、端面板４から延出した折込板８を抱き込むことにより固定壁１９を形成し、他方の側面板３を起立させて、これに繋がる蓋板９を閉じる簡易組立箱。
【請求項２】
前記内側板６の両側に内折板７を連設し、端面板４と内折板７とを折込板８で繋ぎ、折込板８に斜折線１５を設け、折込板８を斜折線１５沿いに谷折りしつつ、内折板７と共に一方の側面板２と内側板６の間に挟み込む請求項１に記載の簡易組立箱。
【発明の詳細な説明】
【０００１】
【発明の属する技術分野】
この発明は、コピー機の感光ドラムの包装等に使用する簡易組立箱に関する。
【０００２】
【従来の技術】
従来、コピー機やレーザープリンタの感光ドラムの包装には、図６に示すような段ボール箱が使用されている。この箱の組み立てに際しては、底面板５０の両側に連設した一対の側面板５１を起立させ、各側面板５１の両側から延びる抱込板５２を重ね合わせ、これらの抱込板５２を底面板５０の両側に順次連設した端面板５３及び内端板５４で抱き込むことにより端壁５５を形成する。
【０００３】
そして、感光ドラムの梱包に際しては、感光ドラムＤの両端部に発泡スチロール製の緩衝材Ｐを嵌め、感光ドラムＤを両側の緩衝材Ｐで挟み込んだ状態で箱内に降下させ、一方の側面板５１から延出した蓋板５６の両側の差込片５７を箱内に差し込みつつ、蓋板５６を閉じて封緘する。
【０００４】
一方、この箱から感光ドラムＤを取り出すには、蓋板５６を開き、端壁５５の上端からＵ字状に切り込まれた溝５８に指を入れ、緩衝材Ｐを両側から押圧しつつ、感光ドラムＤを表面に手を触れないように引き上げる。
【０００５】
【発明が解決しようとする課題】
しかしながら、上記のような段ボール箱では、狭い溝５８に指を入れ、内端板５４と緩衝材Ｐの摩擦に抗して、重量のある感光ドラムＤを引き上げるのが非常に困難である。
【０００６】
そこで、この発明は、感光ドラム等の収納物を容易に取り出せる簡易組立箱を提供することを課題とする。
【０００７】
【課題を解決するための手段】
上記課題を解決するため、この発明に係る簡易組立箱は、底面板の周囲に各一対の側面板及び端面板を連設し、両方の端面板に、一方の側面板寄りの上部から他方の側面板寄りの下部へ至る斜折線を設け、底面板から一方の側面板及び両方の端面板を起立させ、一方の側面板から延びる内側板を折り曲げて、端面板から延出した折込板を抱き込むことにより固定壁を形成し、他方の側面板を起立させて、これに繋がる蓋板を閉じることとしたのである。
【０００８】
このような簡易組立箱では、収納物の取り出しに際し、蓋板を開いてこれに繋がる側面板を倒し、端面板を斜折線沿いに折り曲げることにより、収納物の両側に手を入れ、収納物を引き出すことができる。
【０００９】
また、内側板の両側に内折板を連設し、端面板と内折板とを折込板で繋ぎ、折込板に斜折線を設け、折込板を斜折線沿いに谷折りしつつ、内折板と共に一方の側面板と内側板の間に挟み込むようにすると、組み立てやすくなると共に、固定壁の剛性が向上する。
【００１０】
【発明の実施の形態】
以下、この発明の実施形態を添付図面に基づいて説明する。
【００１１】
この簡易組立箱のブランクでは、図１に示すように、底面板１の周囲に各一対の側面板２，３及び端面板４，４が連設され、一方の側面板２には額縁板５を介して内側板６が連設されている。内側板６の両側には内折板７が連設され、端面板４と内折板７とは折込板８で繋がれている。他方の側面板３には蓋板９及び差込片１０が順次連設されている。
【００１２】
端面板４の端縁には折曲片１１が、他方の側面板３及び端面板４の側縁には折曲片１２が連設され、一方の側面板２、額縁板５及び内側板６の稜部には、指入穴１３が設けられている。内折板７と折込板８の稜部には、折り曲げを容易にするため、両端部に繋ぎを残して貫穴１４が設けられている。
【００１３】
折込板８には、内折板７寄りの外端から対角線上に斜折線１５が、端面板４には、折込板８寄りの外端から対角線上に斜折線１６が設けられ、これらの斜折線１５，１６は、谷折りを容易にするため、半切線とされている。
【００１４】
また、折曲片１２には、その中間部外縁から底面板１の角へかけて斜折線１７が設けられ、この斜折線１７は、谷折りを容易にするため、ミシン目状に切目を入れたものとされている。
【００１５】
さらに、一方の側面板２と折込板８の稜線及び内側板６と内折板７の稜線１８は、１８０°の折り曲げを容易にするため、折目と切目を交互に入れたリード罫とされている。
【００１６】
このようなブランクを組み立てるには、図２に示すように、内折板７、折込板８及び端面板４を内側へ折り曲げ、折込板８を斜折線１５沿いに谷折りしつつ、底面板１から一方の側面板２及び両方の端面板４，４を起立させ、額縁板５及び内側板６を順次内側へ折り曲げて、折込板８を抱き込むことにより、図３に示すように、固定壁１９を形成する。
【００１７】
そして、感光ドラムの梱包に際しては、感光ドラムＤの両端部に発泡スチロール製の緩衝材Ｐを嵌め、感光ドラムＤを両側の緩衝材Ｐで挟み込んだ状態で箱内に収納し、図４に示すように、折曲片１１，１２を内側へ折り曲げて、蓋板９を閉じ、差込片１０を箱内に差し込む。
【００１８】
一方、この箱から感光ドラムＤを取り出すには、指入穴１３に指を入れて、差込片１０を引き出し、図５に示すように、蓋板９を開いて、これに繋がる側面板３を倒し、端面板４を斜折線１６沿いに折り曲げる。
【００１９】
これにより、緩衝材Ｐの両側に手を入れ、感光ドラムＤを手前に引き出すことができるので、感光ドラムＤを狭い隙間から指を入れて持ち上げたりすることなく、容易に取り出すことができる。
【００２０】
また、この箱は、糊貼り加工が不要であるため、低コストで供給できるほか、扁平なブランク状態で保管しておくことができるので、倉庫等のスペースを有効に利用することができる。
【００２１】
【発明の効果】
以上のように、この発明に係る簡易組立箱では、固定壁をなす側面板の他方の側面板に蓋板を連設し、端面板に斜折線を入れたので、蓋板を開いてこれに繋がる側面板を倒し、端面板を斜折線沿いに折り曲げることにより、収納物の両側に手を入れ、収納物を容易に取り出すことができる。
【図面の簡単な説明】
【図１】この発明の実施形態に係る簡易組立箱のブランクを示す図
【図２】同上の組立過程を示す斜視図
【図３】同上の蓋を閉じる前の状態を示す斜視図
【図４】同上の蓋を閉じた状態を示す斜視図
【図５】同上の収納物取出時の状態を示す斜視図
【図６】従来の感光ドラムの包装箱を示す斜視図
【符号の説明】
１　底面板
２，３　側面板
４　端面板
６　内側板
７　内折板
８　折込板
９　蓋板
１５，１６　斜折線
１９　固定壁
【図１】
2004010079.tif 000003
【図２】
2004010079.tif 000004
【図３】
2004010079.tif 000005
【図４】
2004010079.tif 000006
【図５】
2004010079.tif 000007
【図６】
2004010079.tif 000008